(57)【要約】      （修正有）【課題】通気性、速乾性に優れ、履き心地が良く、しかも型崩れや変形の少ないスリッパを提供する。【解決手段】足底部１を上層体１ａおよび下層体１ｂからなるものとし、これら上層体１ａおよび下層体１ｂを、通気性を有する立体メッシュ状シート、通気性を有する連続気泡の発泡状樹脂シートおよび通気性を有する弾性樹脂線条の交錯状シートの三種のうちの何れかから成るものとする。【選択図】図１
0003172871.tif 000002
【実用新案登録請求の範囲】
【請求項１】
足底部（１）を上層体（１ａ）および下層体（１ｂ）からなるものとし、これら上層体（１ａ）および下層体（１ｂ）を、通気性を有する立体メッシュ状シ−ト（Ａ）、通気性を有する連続気泡の発泡状樹脂シート（Ｂ）および通気性を有する弾性樹脂線条の交錯状シート（Ｃ）の三種のうちの何れかから成るものとしたことを特徴とするスリッパ。
【請求項２】
足底部（１）を上層体（１ａ）、中間層体（１ｃ）および下層体（１ｂ）からなるものとし、これら上層体（１ａ）、中間層体（１ｃ）および下層体（１ｂ）を、通気性を有する立体メッシュ状シ−ト（Ａ）、通気性を有する連続気泡の発泡状樹脂シート（Ｂ）および通気性を有する弾性樹脂線条の交錯状シート（Ｃ）の三種のうちの何れかから成るものとしたことを特徴とするスリッパ。
【請求項３】
前記上層体（１ａ）および下層体（１ｂ）を、それぞれ異なるシートどうしの組み合わせとしたことを特徴とする請求項１記載のスリッパ。
【請求項４】
前記上層体（１ａ）、中間層体（１ｃ）および下層体（１ｂ）を、異なる二種のシートどうしの組み合わせとしたことを特徴とする請求項２記載のスリッパ。
【請求項５】
前記上層体（１ａ）、中間層体（１ｃ）および下層体（１ｂ）を、それぞれ異なるシートどうしの組み合わせとしたことを特徴とする請求項２記載のスリッパ。
【請求項６】
前記立体メッシュ状シ−ト（Ａ）を、表地（１１）、裏地（１２）のそれぞれをメッシュ地とし、これら表地（１１）と裏地（１２）を張りのある多数の繊維（１３）によって連結し、通気空間（１４）を形成したものとしたことを特徴とする請求項１〜５の何れかに記載のスリッパ。
【請求項７】
前記発泡状樹脂シート（Ｂ）を、不定形の連続気泡とした通気孔（２１）を有したものとしたことを特徴とする請求項１〜５の何れかに記載のスリッパ。
【請求項８】
前記交錯状シート（Ｃ）を、弾性樹脂からなる短繊維、長繊維または連続繊維とした繊維体（３１）をランダムなループ状にして交錯接着させて、連続した空隙（３２）を形成したものとしたことを特徴とする請求項１〜５の何れかに記載のスリッパ。
【請求項９】
前記立体メッシュ状シ−ト（Ａ）の厚さ、前記発泡状樹脂シート（Ｂ）の厚さ、および前記交錯状シート（Ｃ）の厚さは、それぞれ３〜６ｍｍにしていることを特徴とする請求項６〜８の何れかに記載のスリッパ。
【考案の詳細な説明】
【技術分野】
【０００１】
この考案は、室内履きに適したスリッパに関するものである。
【背景技術】
【０００２】
従来、この種のスリッパは、例えば図７に示すように、使用者の足の裏で踏まれる足底部１０１と、使用者の足の甲が保持される足甲部１０２から構成している。
【０００３】
足底部１０１は、上側体１０１ａおよび下側体１０１ｂから構成したものとしている。そして、この足底部１０１の上側体１０１ａの周辺と下側体１０１ｂの周辺を、両者の間に通気性の中空部Ｓａが形成されるようにして縫製したものとしている。
【０００４】
足甲部１０２は、上側体１０２ａおよび下側体１０２ｂから構成したものとしている。そして、この足甲部１０２の上側体１０２ａの周辺と下側体１０２ｂの周辺を、両者の間に通気性の中空部Ｓｂが形成されるようにして縫製したものとしている。
【先行技術文献】
【特許文献】
【０００５】
【特許文献１】実用新案登録第３１４２９６７号公報
【考案の概要】
【考案が解決しようとする課題】
【０００６】
上記のように構成された従来のスリッパは、通気性の中空部Ｓａ、Ｓｂの存在により、脱水機にかけたり、手で絞ることにより、スリッパ内部に浸入した水分の大部分を先に外部に排出し易くなると共に、また通気性の中空部Ｓａ、Ｓｂの存在により、日干しした場合には乾燥し易くなるので、乾燥に時間を要さないものになるという効果を有する。
【０００７】
さらに、上記従来のスリッパは、通気性の中空部Ｓａ、Ｓｂの存在により、この中空部Ｓａ、Ｓｂ内の空気を手などで押したり、戻したりして形を整えることができるので、形崩れしにくく、変形の少ないものになるという効果を有する。
【０００８】
しかしながら、上記従来のスリッパは、通気性に優れているものの、スリッパの機能上、特に足底部１０１は分厚く形成されるため、未だ若干、通気性に欠けるという課題や、乾燥に時間を要さないものとなっているものの、未だ若干、速乾性に欠けるという課題や、履き心地に優れているものの、未だ若干、履き心地に欠けるという課題や、型崩れや変形の少ないものとなっているものの、未だ若干、耐型崩れ性や耐変形性に欠けるという課題を有していた。
【０００９】
そこで、この考案は、上記従来のスリッパに比べ、よりいっそう通気性に優れると共に、よりいっそう速乾性に優れ、よりいっそう履き心地に優れ、しかもよりいっそう型崩れや変形の少ないスリッパを提供することを目的としてなされたものである。
【課題を解決するための手段】
【００１０】
そのため、この考案のスリッパは、足底部１を上層体１ａおよび下層体１ｂからなるものとし、これら上層体１ａおよび下層体１ｂを、通気性を有する立体メッシュ状シ−トＡ、通気性を有する連続気泡の発泡状樹脂シートＢおよび通気性を有する弾性樹脂線条の交錯状シートＣの三種のうちの何れかから成るものとしている。
【００１１】
さらに、この考案のスリッパは、足底部１を上層体１ａ、中間層体１ｃおよび下層体１ｂからなるものとし、これら上層体１ａ、中間層体１ｃおよび下層体１ｂを、通気性を有する立体メッシュ状シ−トＡ、通気性を有する連続気泡の発泡状樹脂シートＢおよび通気性を有する弾性樹脂線条の交錯状シートＣの三種のうちの何れかから成るものとしている。
【００１２】
この考案のスリッパにおいて、前記上層体１ａおよび下層体１ｂは、それぞれ異なるシートどうしの組み合わせとしている。
【００１３】
この考案のスリッパにおいて、前記上層体１ａ、中間層体１ｃおよび下層体１ｂは、異なる二種どうしの組み合わせとしている。
【００１４】
この考案のスリッパにおいて、前記上層体１ａ、中間層体１ｃおよび下層体１ｂは、それぞれ異なるシートどうしの組み合わせとしている。
【００１５】
この考案のスリッパにおいて、前記立体メッシュ状シ−トＡは、表地１１、裏地１２のそれぞれをメッシュ地とし、これら表地１１と裏地１２を張りのある多数の繊維１３によって連結し、通気空間１４を形成したものとしている。
【００１６】
この考案のスリッパにおいて、前記発泡状樹脂シートＢは、不定形の連続気泡とした通気孔２１を有したものとしている。
【００１７】
この考案のスリッパにおいて、前記交錯状シートＣは、弾性樹脂からなる短繊維、長繊維または連続繊維とした繊維体３１をランダムなループ状にして交錯接着させて、連続した空隙３２を形成したものとしている。
【００１８】
この考案のスリッパにおいて、前記立体メッシュ状シ−トＡの厚さ、前記発泡状樹脂シートＢの厚さ、および前記交錯状シートＣの厚さは、それぞれ３〜６ｍｍにしている。
【考案の効果】
【００１９】
この考案のスリッパは、以上に述べたように構成されているため、従来のスリッパに比べ、よりいっそう通気性に優れると共に、よりいっそう速乾性に優れ、よりいっそう履き心地に優れ、しかもよりいっそう型崩れや変形の少ないものとなった。
【図面の簡単な説明】
【００２０】
【図１】この考案のスリッパの一実施形態を示す縦断面図である。
【図２】この考案のスリッパの他の実施形態を示す縦断面図である。
【図３】この考案のスリッパの足底部の上層体、下層体、または中間層体の一例を示す部分拡大斜視図である。
【図４】この考案のスリッパの足底部を構成する上層体、下層体、または中間層体の他の例を示す部分拡大斜視図である。
【図５】この考案のスリッパの足底部を構成する上層体、下層体、または中間層体のさらに他の例を示す部分拡大斜視図である。
【図６】この考案のスリッパの足底部を構成する上層体、下層体、または中間層体のさらに他の例を示す部分拡大斜視図である。
【図７】従来のスリッパの一例を示す縦断面図である。
【考案を実施するための形態】
【００２１】
以下、この考案のスリッパを実施するための形態を、図面に基づいて詳細に説明する。
【００２２】
この考案のスリッパは、図１、２に示したように、使用者の足の裏で踏まれる足底部１と、使用者の足の甲が保持される足甲部２から構成されている。
【００２３】
前記足底部１は、図１に示したものでは、上層体１ａおよび下層体１ｂからなるものとし、それぞれの層体どうしは接着剤などによって接着され、二重層体としており、図２に示したものでは、上層体１ａ、中間層体１ｃおよび下層体１ｂからなるものとしており、それぞれの層体どうしは接着剤などによって接着され、三重層体としている。
【００２４】
前記足甲部２は、図１に示したものでは、上層体２ａおよび下層体２ｂからなるものとし、それぞれの層体どうしは嵩が低くなるようにステッチ縫製されるなどして、二重層体としており、図２に示したものでは、上層体２ａ、中間層体２ｃおよび下層体２ｂからなるものとしており、それぞれの層体どうしは嵩が低くなるようにステッチ縫製されるなどして、三重層体としている。
【００２５】
なお、前記足底部１の上層体１ａ、中間層体１ｃおよび下層体１ｂの露出面、足甲部２の上層体２ａ、中間層体２ｃおよび下層体２ｂの露出面は、必要に応じて、ポリエルテル生地等の外装材（図示せず) で被覆しておくことができる。
【００２６】
そして、前記上層体１ａおよび下層体１ｂは、通気性を有する立体メッシュ状シ−トＡ、通気性を有する連続気泡の発泡状樹脂シートＢおよび通気性を有する弾性樹脂線条の交錯状シートＣの三種のうちの何れかから成るものとしている。すなわち、前記立体メッシュ状シ−トＡ、発泡状樹脂シートＢおよび交錯状シートＣの組み合わせは、９通り存在するが、上層体１ａおよび下層体１ｂは、同じシートどうしの組み合わせとはせず、それぞれ異なるシ−トどうしの組み合わせとするのが、それぞれのシートの特性を有するものとなるので好ましい。
【００２７】
また、前記上層体２ａおよび下層体２ｂは、通気性を有する立体メッシュ状シ−トＡ、通気性を有する連続気泡の発泡状樹脂シートＢおよび通気性を有する弾性樹脂線条の交錯状シートＣの三種のうちの何れかから成るものとしている。すなわち、前記立体メッシュ状シ−トＡ、発泡状樹脂シートＢおよび交錯状シートＣの組み合わせは、９通り存在するが、上層体２ａおよび下層体２ｂは、同じシートどうしの組み合わせとはせず、それぞれ異なるシ−トどうしの組み合わせとするのが、それぞれのシートの特性を有するものとなるので好ましい。
【００２８】
さらに、上層体１ａ、中間層体１ｃおよび下層体１ｂも、通気性を有する立体メッシュ状シ−トＡ、通気性を有する連続気泡の発泡状樹脂シートＢおよび通気性を有する弾性樹脂線条の交錯状シートＣの三種のうちの何れかから成るものとしている。すなわち、前記立体メッシュ状シ−トＡ、発泡状樹脂シートＢおよび交錯状シートＣの組み合わせは、２７通り存在するが、上層体１ａ、中間層体１ｃおよび下層体１ｂは、同じシートどうしの組み合わせとはせず、異なる二種のシートどうしの組み合わせとするか、それぞれ異なるシ−トどうしの組み合わせとするのが、それぞれのシートの特性を有するものとなるので好ましい。
【００２９】
さらに、上層体２ａ、中間層体２ｃおよび下層体２ｂも、通気性を有する立体メッシュ状シ−トＡ、通気性を有する連続気泡の発泡状樹脂シートＢおよび通気性を有する弾性樹脂線条の交錯状シートＣの三種のうちの何れかから成るものとしている。すなわち、前記立体メッシュ状シ−トＡ、発泡状樹脂シートＢおよび交錯状シートＣの組み合わせは、２７通り存在するが、上層体２ａ、中間層体２ｃおよび下層体２ｂは、同じシートどうしの組み合わせとはせず、異なる二種のシートどうしの組み合わせとするか、それぞれ異なるシ−トどうしの組み合わせとするのが、それぞれのシートの特性を有するものとなるので好ましい。
【００３０】
なお、この考案のスリッパにおいて、スリッパの機能上、分厚く形成される足底部１は、上層体１ａ、中間層体１ｃおよび下層体１ｂを、前記したように通気性を有する立体メッシュ状シ−トＡ、通気性を有する連続気泡の発泡状樹脂シートＢおよび通気性を有する弾性樹脂線条の交錯状シートＣの三種のうちの何れかから成るものとしているが、足底部１に比べて薄く形成される足甲部２は、上層体２ａ、中間層体２ｃおよび下層体２ｂを、必ずしも前記したように通気性を有する立体メッシュ状シ−トＡ、通気性を有する連続気泡の発泡状樹脂シートＢおよび通気性を有する弾性樹脂線条の交錯状シートＣの三種のうちの何れかから成るものとしなくてもよい。
【００３１】
前記通気性を有する立体メッシュ状シ−トＡは、図示したように、表地１１、裏地１２のそれぞれをメッシュ地とし、これら表地１１と裏地１２を張りのある多数の繊維１３によって連結し、通気空間１４を形成したものとしている。表地１１、裏地１２のそれぞれをメッシュ地とするには、合繊マルチフィラメントを使用するのが、表地１１、裏地１２の網目を形成し易くなると共に、通気性の面において好ましい。この立体メッシュ状シ−トＡの厚さは、足底部１の全体厚さなどを考慮すると、２〜１０ｍｍ程度とするのが好ましく、３〜６ｍｍと程度にするのがより好ましい。また、前記立体メッシュ状シ−トＡのメッシュ地の網目の形状は、図３に示したような略六角形状としたり、図４に示したような略楕円形状にしているが、円形、菱形、三角形など各種の形状とすることもできる。さらに、前記メッシュ地の網目の大きさは、角形としたときにはその一辺または対角距離を２〜１０ｍｍ程度にしており、円形や楕円形とした場合にはその直径、短径、長径を２〜１０ｍｍ程度にしている。このようにすると、前記立体メッシュ状シ−トＡを足底部１の上層体１ａにした場合に、使用者の足裏が接触した場合の接触感が好ましいものとなる。また、前記立体メッシュ状シ−トＡは、強度性や保形性に優れているので、足底部１の上層体１ａまたは下層体１ｂとするのが好ましい。なお、前記立体メッシュ状シ−トＡの具体例としては、旭化成工業株式会社製造の「フュージョン」（商品名）などが挙げられる。
【００３２】
前記通気性を有する連続気泡の発泡状樹脂シートＢは、図示したように、不定形の連続気泡とした通気孔２１を有したものとしており、具体的には、ウレタンフォーム等のスポンジ状材料からなるものとしている。この発泡状樹脂シートＢの厚さは、足底部１の全体厚さなどを考慮すると、２〜１０ｍｍ程度とするのが好ましく、３〜６ｍｍと程度にするのがより好ましい。なお、前記発泡状樹脂シートＢの発泡率や通気孔２１の開口密度は、使用者の足裏との接触感や、必要とする通気性、強度性や保形性などによって、好ましい値に調節したものとすることができる。なお、前記発泡状樹脂シートＢの具体例としては、株式会社イノアックコーポレーション製の「イノアック・モルトフィルター」（商品名）などが挙げられる。
【００３３】
前記通気性を有する弾性樹脂線条の交錯状シートＣは、図示したように、熱可塑性樹脂などの弾性樹脂からなる短繊維、長繊維または連続繊維とした繊維体３１をランダムなループ状にして交錯接着させて、連続した空隙３２を形成したものとしている。この交錯状シートＣの厚さは、足底部１の全体厚さなどを考慮すると、２〜１０ｍｍ程度とするのが好ましく、３〜６ｍｍと程度にするのがより好ましい。なお、前記交錯状シートＣの繊維密度や空隙率は、使用者の足裏との接触感や、必要とする通気性、強度性や保形性などによって、好ましい値に調節したものとすることができる。なお、前記交錯状シートＣの具体例としては、東洋紡績株式会社製の「ブレスエアー」（商品名）などが挙げられる。
【００３４】
この考案のスリッパは、以上に述べたように構成されているので、室内履きとして使用する場合に、足がむれるようなことはなく、従来のスリッパに比べ、よりいっそう通気性に優れたものとなり、よりいっそう履き心地に優れたものとなり、またよりいっそう型崩れしにくく、変形の少ないものとなる。
【００３５】
さらに、この考案のスリッパは、使用によって汚れた場合に、洗濯機によって丸洗いしたり、手洗いしたりしてから、脱水機にかけたり、手で絞ることにより、水分をほとんどスリッパから排出することができるので、乾燥に時間を要さないものとなり、よりいっそう速乾性に優れたものとなる。
【符号の説明】
【００３６】
１  足底部
１ａ  上層体
１ｂ  下層体
１ｃ  中間層体
１１  表地
１２  裏地
１３  繊維
１４  通気空間
２１  通気孔
３１  繊維体
３２  空隙
Ａ  立体メッシュ状シ−ト
Ｂ  発泡状樹脂シート
Ｃ  交錯状シート
【図１】
0003172871.tif 000003
【図２】
0003172871.tif 000004
【図３】
0003172871.tif 000005
【図４】
0003172871.tif 000006
【図５】
0003172871.tif 000007
【図６】
0003172871.tif 000008
【図７】
0003172871.tif 000009